(57)【特許請求の範囲】
【請求項１】
複数の竿体を有し、釣り糸が糸導入口から竿体内部に導入され穂先から導出される振出式中通し竿と、
前記振出式中通し竿に着脱自在に用いられる中通し竿用口栓であって、前記糸導入口が形成された手元側竿体の先端外周を保持可能な筒状弾性体製の第１保持部と前記第１保持部の先端側で前記手元側竿体に収納された竿体の突出部を収納可能でありかつ穂先先端を係止可能な収納空間と軸方向に沿って形成された第１切欠き部とを有する筒状弾性体製の保持部材と、前記保持部材の周面に配置され前記第１切欠き部に連続するように形成された第２切欠き部とその周面に形成された釣り糸係止部とを有する筒状合成樹脂製のカバー部材と、を備えた中通し竿用口栓と、
を備え、
前記釣り糸係止部は、前記カバー部材の外周面を切り欠いて形成され前記保持部材の外周面との間に前記釣り糸を挟んで係止する舌状部分を有する、
口栓付き中通し竿。
【請求項２】
前記保持部材とカバー部材との間に配置された重錘体をさらに備えた、請求項１に記載の口栓付き中通し竿。
【請求項３】
前記保持部材は、前記手元側竿体より竿先側の竿先側竿体の先端を保持可能な第２保持部を有する、請求項１または２に記載の口栓付き中通し竿。
【発明の詳細な説明】
【０００１】
【発明の属する技術分野】
本発明は、口栓、特に、複数の竿体を有し、釣り糸が糸導入口から竿体内部に導入され穂先から導出される振出式中通し竿に着脱自在に用いられる中通し竿用口栓を備える口栓付き中通し竿に関する。
【０００２】
【従来の技術】
１又は複数の竿体が内部に収納された振出式の釣り竿において、釣り糸を竿体内部に挿通可能な中通し竿が知られている。中通し竿では、手元側竿体の外周面に形成された糸導入口から竿体内部に形成された釣り糸経路に釣り糸が導入され、釣り糸経路を通過して穂先側竿体の先端に装着されたトップガイドから外部に釣り糸が導出される。そして、縮めた時には糸導入口が形勢された竿体内部にそれより竿先側の竿体が収納される。とくに縮めた時の長さを短くするために、竿先側の竿体が糸導入口より竿尻側に収納されるものがある。
【０００３】
このような構成の振出式の中通し竿では、釣り糸経路に釣り糸を挿通する作業が比較的煩わしい作業である。このため、一度釣り糸を竿体内部に挿通して仕掛けを装着すると、釣りが終わって中通し竿を縮めて収納した後も仕掛けを装着した釣り糸や仕掛けを外した釣り糸を竿体内にセットしたままにしておくことが多い。
【０００４】
【発明が解決しようとする課題】
このような中通し竿を伸ばすときには、スピニングリールの場合にはベールアームを開放側に倒し、両軸受けリールの場合にはクラッチをオフする。そして、中通し竿の各竿体を順次伸ばしていく。このとき、仕掛けを外した釣り糸をセットしたままの状態や仕掛けを装着した釣り糸をセットしたままの状態にしておくと、糸導入口より竿尻側で折り返された釣り糸が竿体内部で弛むことがある。また、釣り糸をセットしたままの状態で中通し竿を縮めると、セットされた釣り糸より竿長さが徐々に短くなるのでやはり竿体内部で弛むことがある。このように竿体内部で釣り糸が弛むと糸導入口近傍での糸噛みや糸絡み等が生じやすくなり、釣り糸を正常に繰り出したり巻き取ることができなくなるおそれがある。
【０００５】
本発明の課題は、釣り糸をセットしたままの状態でも中通し竿の竿体内部で釣り糸の弛みが生じないようにすることにある。
【０００６】
【課題を解決するための手段】
発明１に係る口栓付き中通し竿は、複数の竿体を有し釣り糸が糸導入口から竿体内部に導入され穂先から導出される振出式中通し竿と、中通し竿用口栓とを備える。中通し竿用口栓は、振出式中通し竿に着脱自在に用いられる口栓であって、保持部材とカバー部材とを備えている。保持部材は、糸導入口が形成された手元側竿体の先端外周を保持可能な筒状弾性体製の第１保持部と、第１保持部の先端側で手元側竿体に収納された竿体の突出部を収納可能でありかつ穂先先端を係止可能な収納空間と、軸方向に沿って形成された第１切欠き部とを有する筒状弾性体製の部材である。カバー部材は、保持部材の周面に配置され、第１切欠き部に連続するように形成された第２切欠き部と、その周面に形成された釣り糸係止部とを有する筒状合成樹脂製の部材である。そして、釣り糸係止部は、舌状部分を有する。舌状部分は、カバー部材の外周面を切り欠いて形成され、保持部材の外周面との間に釣り糸を挟んで係止する。
【０００７】
この口栓を用いて中通し竿を伸ばす際には、口栓に釣り糸を係止した状態で先端に装着された口栓を外す。すると、糸導入口より竿尻側で折り返された釣り糸が口栓により引っ張られ、竿体を伸ばしても竿体内部で釣り糸が弛むことがない。また、中通し竿を縮める際には、口栓に釣り糸を係止した状態で竿体を手元側竿体内に収納する。このときにも、釣り糸は口栓により引っ張られて弛むことがない。竿体を縮め終わるとリールにより先端から繰り出された釣り糸を口栓が穂先に到達するまで巻き取る。そして、釣り糸を第１切欠き部から口栓内部に挿入して中通し竿の手元側竿体の先端部を第１保持部で保持することで口栓を装着し、口栓の先端から釣り糸を取り出す。
【０００８】
ここでは、口栓に釣り糸を係止することで釣り糸を口栓の自重により引っ張ることができるので、釣り糸をセットしたままの状態でも釣り糸が竿体内部で弛みにくくなる。このため、釣り糸の弛みによる糸絡みや糸噛みが生じにくくなる。
【０００９】
発明２に係る口栓付き中通し竿は、発明１の口栓付き中通し竿において、保持部材とカバー部材との間に配置された重錘体をさらに備えている。この場合には、口栓が重くなるので、口栓を外すと、釣り糸がより確実に引っ張られ、釣り糸が竿体内部でより弛みにくくなる。
【００１０】
発明３に係る口栓付き中通し竿は、発明１または発明２の口栓付き中通し竿において、保持部材は、手元側竿体より竿先側の竿先側竿体の先端を保持可能な第２保持部を有している。この場合には、２つの竿体がそれぞれ保持されるので、保持されたときの竿体後端を糸導入口の竿先側に配置するようにすれば、竿体に余分な位置決め部材を設けることなく釣り糸の挿通が容易になる。
【００１１】
【発明の実施の形態】
図１において、本発明の一実施形態による口栓が先端に装着される中通し竿１０は、元竿１１と、元竿１１に振出形式で連結された中間竿１２及び穂先竿１３とを有している。元竿１１、中間竿１２及び穂先竿１３は、それぞれ炭素繊維強化樹脂製のプリプレグをマンドレルに巻回し焼成して得られた先細り筒状部材であり、内部に釣り糸の通過経路（図示せず）が形成されている。
【００１２】
元竿１１の竿尻端部には、尻栓２０が着脱自在に装着されている。また、竿尻部周面には操作用のグリップ２１が配置され、元竿１１の中間部にはリールシート２３が配置されている。リールシート２３には、たとえば、スピニングリール２４が装着される。元竿１１のリールシート２３の竿先側には、糸導入口２５が元竿１１に対して径方向から着脱自在に装着されている。糸導入口２５は、リール２４に巻き付けられた釣り糸Ｌを元竿１１、中間竿１２及び穂先竿１３の内部の通過経路に導入するためのものである。
【００１３】
図２に詳しく説明するように、元竿１１の糸導入口２５の周囲には糸をスムーズに案内するためのセラミック等からなる硬質リング２６が装着されている。元竿１１の糸導入口２５の竿先側の内周面には中間竿１２の後端を糸導入口２５の竿先側で保持するための弾性リング２７が装着されている。この弾性リング２７を装着することで中間竿１２の後端部が糸導入口２５の竿先側で保持されぐらつきにくくなり、糸通し具を使用して釣り糸Ｌを糸導入口から内部に挿入する作業が容易になる。また、中間竿１２及び穂先竿１３の後端部には硬質リング２８，２９がそれぞれ装着されている。穂先竿１３の先端にはトップガイド３０が着脱自在に装着されている。トップガイド３０は、釣り糸の通過経路に導入された釣り糸Ｌを先端から外部に引き出すための部材である。
【００１４】
一方、収納時に中間竿１２や穂先竿１３が飛び出さないように口栓５０が装着される。口栓５０は、図３〜図６に示すように、硬質合成樹脂製の筒状のカバー部材５１と、カバー部材５１に嵌め込まれ、接着により固定されたＮＢＲ（アクリロニトリルブタジエンゴム）製の筒状の保持部材５２と、カバー部材５１と保持部材５２との間に配置された糸弛み防止用の重錘体５３（図４）とを有している。
【００１５】
カバー部材５１の外周面には、軸方向に沿って切欠き部５４が形成されている。また、カバー部材５１の切欠き部５４と逆側の外周面には、釣り糸Ｌを係止するための釣り糸係止部５１ａが形成されている。釣り糸係止部５１ａは、外周面を略Ｃ型に切り欠いて形成されており、残った舌状部分と保持部材５２の外周面との間に釣り糸Ｌを挟んで係止する。
【００１６】
保持部材５２はカバー部材５１から両端が突出する形状の筒状の部材である。保持部材５２は、元竿１１の先端部の外径よりやや小さい内径を有する第１保持部５５と、第１保持部５５の竿先側に形成され元竿１１から飛び出た中間竿１２や穂先竿１３の先端部を収納する収納空間５６とを有している。第１保持部５５は、元竿１１先端部の外周面を弾性的に保持するものである。また、保持部材５２の外周面には軸方向に沿って切欠き部５７が形成されている。切欠き部５７は、切欠き部５４の内側に配置され、保持部材５２の先端に形成された先端孔５８に連なっている。先端孔５８の径はトップガイド３０の径より小さく、トップガイド３０が口栓５０外に飛び出さないようになっている。この切欠き部５７は、釣り糸Ｌに仕掛けが装着されていても仕掛けを外すことなく口栓５０を中通し竿１０に装着できるようにするために設けられている。
【００１７】
重錘体５３は鉛製の部材であり、各竿体を伸ばし釣り糸Ｌを係止した状態で口栓５０を中通し竿１０から外したとき、釣り糸Ｌを引っ張り緊張させることで、竿体内部で釣り糸Ｌが弛んで絡まるのを防止するために設けられている。次に、中通し竿への口栓５０の装着手順等について説明する。収納時に中通し竿１０を縮めて先端に口栓５０を装着する際には、まず、釣り糸係止部５１ａに釣り糸Ｌを係止する。そして、穂先竿１３及び中間竿１２を縮めて元竿１１内に収納する。このとき、釣り糸Ｌは口栓５０の自重により引っ張られ、各竿体内部で釣り糸Ｌが弛みにくい。そして、トップガイド３０から口栓５０により繰り出された釣り糸Ｌをリールにより口栓５０がトップガイド３０付近に到達するまで巻き取る。
【００１８】
口栓５０がトップガイド３０付近に到達すると、図３に示すように、仕掛け６０が先端に装着された釣り糸Ｌを切欠き部５７から内部に挿入し、この状態で口栓５０の後端開口から先端が第１保持部５５と収納空間５６との間の段差に当接するように軸方向に沿って元竿１１を挿入する。これにより、元竿１１の先端部の外周が第１保持部５５により弾性的に保持され、それから飛び出た中間竿１２及び穂先竿１３が収納空間５６内に収納される。
【００１９】
この状態では、中間竿１２の後端部は、図２に示すように、糸導入口２５より竿元側に配置され、釣り糸Ｌが糸導入口２５との間で折り返される。しかし、各竿体を縮めるときに口栓５０により釣り糸Ｌを引っ張っているので、折り返された釣り糸Ｌは弛みにくい。一方、中通し竿１０を伸ばして使用するときには、釣り糸Ｌを係止したまま口栓５０を元竿１１の先端から取り外す。そして、穂先竿１３から順に引っ張って伸ばす。このとき、糸導入口２５より竿尻側で元竿１１内で折り返された釣り糸Ｌ１（図２）は弛もうとするが釣り糸Ｌが口栓５０の自重により引っ張られ、元竿１１内の糸導入口２５より竿尻側で釣り糸が弛んだ状態になりにくい。このため、釣り糸Ｌ１の糸導入口２５での糸噛みや糸絡みが生じにくい。
【００２０】
〔他の実施形態〕
（ａ） 図７に示すように、口栓５０ａにおいて先端孔５８ａをトップガイド３０の径より大きくあけ、そこを溝孔付の栓５９で塞いでもよい。
（ｂ） 前記実施形態では中間竿１２の後端を元竿１１で保持しているが、保持していない場合には、図８に示すように、口栓５０ｂにおいて収納空間部分の内径を小さくして第２保持部５６ｂとし、そこで中間竿１２の先端部外周面を弾性的に保持してもよい。この場合には、２つの竿体（中間竿１２と元竿１１）がそれぞれ保持されるので、保持されたときの竿体後端を糸導入口の竿先側に配置するようにすれば、竿体に余分な位置決め部材を設けることなく釣り糸の挿通が容易になる。
【００２１】
【発明の効果】
本発明に係る中通し竿用口栓では、口栓に釣り糸を係止することで釣り糸を口栓の自重により引っ張ることができるので、釣り糸をセットしたままの状態でも釣り糸が竿体内部で弛みにくくなる。このため、釣り糸の弛みによる糸絡みや糸噛みが生じにくくなる。
【図面の簡単な説明】
【図１】本発明の一実施形態による口栓が装着される中通し竿の側面図。
【図２】中通し竿収納時の断面部分図。
【図３】本発明の一実施形態による口栓の斜視図。
【図４】その側面図。
【図５】図４のＶ−Ｖ断面図。
【図６】図４のVI−VI断面図。
【図７】別の実施形態の図５に相当する図。
【図８】さらに別の実施形態の図５に相当する図。
【符号の説明】
１０  中通し竿
１１  元竿
１２  中間竿
１３  穂先竿
２５  糸導入口
３０  トップガイド
５０  口栓
５１  カバー部材
５１ａ  釣り糸係止部
５２  保持部材
５３  重錘体
５４，５７  切欠き部
５５  第１保持部
５６  収納空間
５６ｂ  第２保持部
【図１】
0003657348.tif 000002
【図２】
0003657348.tif 000003
【図３】
0003657348.tif 000004
【図４】
0003657348.tif 000005
【図５】
0003657348.tif 000006
【図６】
0003657348.tif 000007
【図７】
0003657348.tif 000008
【図８】
0003657348.tif 000009